【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
航空機用ガスタービンエンジン排気ノズルのベースシート（５２）であって、
長手方向に延びる間隔で配置された該ベースシート（５２）のそれぞれベースシート前縁及び後縁（５６及び５８）間で延びる複数のベースシートセグメント（８０）を含み、
右側及び左側ベースシート側縁（６０及び６２）が、それぞれ前記ベースシート前縁及び後縁（５６及び５８）間で長手方向に延び、
各ベースシートセグメント（８０）が、それぞれセグメント前縁及び後縁（８８及び９０）間で長手方向に延びる一対のセグメント側縁（８４及び８６）間に画成されたパネル本体（９２）を有し、
前記ベースシートセグメント（８０）のそれぞれ後方及び前方ベースシートセグメント（１０５及び１０９）のセグメント前縁及び後縁（８８及び９０）に前縁及び後縁リブ（９６及び９７）を含むスティフナ（１０６）が、前記セグメント側縁（８４及び８６）間で前記パネル本体（９２）を横切って幅方向に延び、
前記前縁及び後縁リブ（９６及び９７）が、前記スティフナ（１０６）のそれぞれ左側及び右側膨出セクション（１１６及び１１８）間の中央に位置する該スティフナ（１０６）の中間セクション（１１０）においてのみ互いに結合され、
前記スティフナ（１０６）の左側及び右側膨出セクション（１１６及び１１８）における前記後縁リブ（９７）の前方延長側部後縁フランジ（１４２）が、前記セグメント後縁（９０）においてヘム（９４）によって前記ベースシートセグメント（８０）のパネル本体（９２）にほぼ平行に接続され、
前記スティフナ（１０６）の左側及び右側膨出セクション（１１６及び１１８）における前記前縁リブ（９６）の前方延長側部前縁フランジ（１４４）が、前記セグメント前縁（８８）において該前縁リブ（９６）内のジョグ（１０７）によって前記ベースシートセグメント（８０）のパネル本体（９２）にほぼ平行に接続され、
前記側部前縁フランジ（１４４）が、前記パネル本体（９２）に向かって内向きに曲げられたロールオーバタブ（１４８）を有する、
ベースシート（５２）。
【請求項２】
前記スティフナ（１０６）の各々内に、
前記ヘム（９４）によって前記前方ベースシートセグメント（８０）のパネル本体（９２）にほぼ平行に接続された、前記スティフナ（１０６）の中間セクション（１１０）における前記後縁リブ（９７）の前方延長中間後縁フランジ（１２０）と、
前記後方ベースシートセグメント（８０）のセグメント前縁（８８）においてジョグ（１０７）によって前記パネル本体（９２）にほぼ平行に接続された、前記スティフナ（１０６）の中間セクション（１１０）における前記前縁リブ（９６）の前方延長中間前縁フランジ（１２２）と、
を含み、
各スティフナ（１０６）の前縁及び後縁リブ（９６及び９７）が、前記中間後縁及び前縁フランジ（１２０及び１２２）に沿ってのみ互いに結合されている、
請求項１記載のベースシート（５２）。
【請求項３】
前記中間後縁及び前縁フランジ（１２０及び１２２）が互いに溶接されている、請求項２記載のベースシート（５２）。
【請求項４】
航空機用ガスタービンエンジン排気ノズルのフラップ（４０）であって、
フレーム（５３）を有する長手方向に延びるバックボーン（５０）と、
前記フレーム（５３）の幅方向に延びるクロスリブ（１５４）によって支持された該フレーム（５３）のフレーム側縁（５９）に沿って配置されたフレームスロット（５５）を含む長手方向に延びるレール（５７）と、
前記レール（５７）によって着脱可能に支持されたベースシート（５２）と、を含み、
前記ベースシート（５２）が、該ベースシート（５２）のベースシート長手方向に延びる間隔で配置されたそれぞれベースシート前縁及び後縁（５６及び５８）間で延びる複数のベースシートセグメント（８０）を含み、
右側及び左側ベースシート側縁（６０及び６２）が、それぞれ前記ベースシート前縁及び後縁（５６及び５８）間で長手方向に延びかつ前記レール（５７）のフレームスロット（５５）内に摺動可能に支持され、
各ベースシートセグメント（８０）が、それぞれセグメント前縁及び後縁（８８及び９０）間で長手方向に延びる一対のセグメント側縁（８４及び８６）間に画成されたパネル本体（９２）を有し、
前記ベースシートセグメント（８０）のそれぞれ後方及び前方ベースシートセグメント（１０５及び１０９）のセグメント前縁及び後縁（８８及び９０）に前縁及び後縁リブ（９６及び９７）を含むスティフナ（１０６）が、前記セグメント側縁（８４及び８６）間で前記パネル本体（９２）を横切って幅方向に延び、
前記前縁及び後縁リブ（９６及び９７）が、前記スティフナ（１０６）のそれぞれ左側及び右側膨出セクション（１１６及び１１８）間の中央に位置する該スティフナ（１０６）の中間セクション（１１０）においてのみ互いに結合され、
前記スティフナ（１０６）の左側及び右側膨出セクション（１１６及び１１８）における前記後縁リブ（９７）の前方延長側部後縁フランジ（１４２）が、前記セグメント後縁（９０）においてヘム（９４）によって前記ベースシートセグメント（８０）のパネル本体（９２）にほぼ平行に接続され、
前記スティフナ（１０６）の左側及び右側膨出セクション（１１６及び１１８）における前記前縁リブ（９６）の前方延長側部前縁フランジ（１４４）が、前記セグメント前縁（８８）において該前縁リブ（９６）内のジョグ（１０７）によって前記ベースシートセグメント（８０）のパネル本体（９２）にほぼ平行に接続され、
前記側部前縁フランジ（１４４）が、前記パネル本体（９２）に向かって内向きに曲げられたロールオーバタブ（１４８）を有する、
フラップ（４０）。
【請求項５】
前記スティフナ（１０６）の各々内に、
前記ヘム（９４）によって前記前方ベースシートセグメント（８０）のパネル本体（９２）にほぼ平行に接続された、前記スティフナ（１０６）の中間セクション（１１０）における前記後縁リブ（９７）の前方延長中間後縁フランジ（１２０）と、
前記後方ベースシートセグメント（８０）のセグメント前縁（８８）においてジョグ（１０７）によって前記パネル本体（９２）にほぼ平行に接続された、前記スティフナ（１０６）の中間セクション（１１０）における前記前縁リブ（９６）の前方延長中間前縁フランジ（１２２）と、
を含み、
各スティフナ（１０６）の前縁及び後縁リブ（９６及び９７）が、前記中間後縁及び前縁フランジ（１２０及び１２２）に沿ってのみ互いに結合されている、
請求項４記載のフラップ（４０）。
【請求項６】
前記中間後縁及び前縁フランジ（１２０及び１２２）が互いに溶接されている、請求項５記載のフラップ（４０）。
【請求項７】
ガスタービンエンジン排気ノズルのベースシート（５２）を製作する方法であって、
それぞれセグメント前縁及び後縁（８８及び９０）間で長手方向に延びる一対のセグメント側縁（８４及び８６）間に画成されたパネル本体（９２）をその各々が有する複数のベースシートセグメント（８０）を形成する段階と、
前記ベースシートセグメント（８０）のそれぞれ後方及び前方ベースシートセグメント（１０５及び１０９）のセグメント前縁及び後縁（８８及び９０）において、前記セグメント側縁（８４及び８６）間で前記パネル本体（９２）を横切って幅方向に延びる前縁及び後縁リブ（９６及び９７）を形成する段階と、
前記後縁リブ（９７）の一対の前方延長側部後縁フランジ（１４２）間に、ヘム（９４）によってそれぞれのベースシートセグメント（８０）のパネル本体（９２）にほぼ平行に接続された前方延長中間後縁フランジ（１２０）を形成する段階と、
前記前縁リブ（９６）の一対の前方延長側部前縁フランジ（１４４）間に、ジョグ（１０７）によってそれぞれのベースシートセグメント（８０）のパネル本体（９２）にほぼ平行に接続された前方延長中間前縁フランジ（１２２）を形成する段階と、
前記中間後縁及び前縁フランジ（１２０及び１２２）に沿ってのみ前記前縁及び後縁リブ（９６及び９７）を互いに結合する段階と、
を含む方法。
【請求項８】
前記中間後縁及び前縁フランジ（１２０及び１２２）が、抵抗スポット溶接によって互いに結合され、該抵抗スポット溶接が、
前記中間後縁フランジ（１２０）と該中間後縁フランジ（１２０）が前記へム（９４）によって接続された前記パネル本体（９２）との両方の間にかつその両方に接触させて銅シャント（１２８）を配置する段階と、
前記中間前縁フランジ（１２２）に対して第１の電極（１８０）を押付ける段階と、
前記中間後縁及び前縁フランジ（１２０及び１２２）に対して第２の電極（１８２）を押付ける段階と、
前記電極を用いて前記一対の中間後縁及び前縁フランジ（１２０及び１２２）を互いに溶接する段階と、を含む、
請求項７記載の方法。
【請求項９】
第１及び第２のシートメタル要素（２００及び２０２）を互いに抵抗溶接する方法であって、
銅シャント（１２８）を、第１のシートメタル要素（２００）と該第１のシートメタル要素（２００）から間隔を置いて配置されかつ該第１のシートメタル要素に接続された第３のシートメタル要素（２０４）との間にかつそれらと接触させて配置する段階と、
第２のシートメタル要素（２０２）を、前記第１及び第２のシートメタル要素（２００及び２０２）間の接合面（１３２）に沿って該第１のシートメタル要素（２００）と接触させて配置する段階と、
前記第２のシートメタル要素（２０２）に対して第１の電極（１８０）を押付ける段階と、
前記第１のシートメタル要素（２００）に対して第２の電極（１８２）を押付ける段階と、
前記銅シャントを通して前記電極間に溶接電流を流し、前記接合面（１３２）に沿って前記第１及び第２のシートメタル要素（２００及び２０２）を互いに溶接する段階と、
を含む方法。
【請求項１０】
前記第１のシートメタル要素（２００）が、前記第３のシートメタル要素（２０４）に接続されたフランジ（１２０）であり、
前記フランジ（１２０）が、ヘム（９４）によって前記第３のシートメタル要素（２０４）に接続され、
前記銅シャント（１２８）が、前記フランジ（１２０）及び第３のシートメタル要素（２０４）間のギャップ内に配置される、
請求項９記載の方法。